【事件の表示】
　特許第３０４３９５４号「液晶表示装置」の請求項１に係る特許に対する特許異議の申立てについて、次のとおり決定する。
【結　論】
　訂正を認める。
　特許第３０４３９５４号の請求項１に係る特許を維持する。
【理　由】
１．手続の経緯
　本件特許第3043954号の請求項1に係る発明は、平成6年7月26日に特許出願（国内優先権主張1993.10.13）され、平成12年3月10日に設定登録がなされ、特許異議の申立がなされ、取消理由通知がなされ、その指定期間である平成13年4月3日に訂正請求がなされたものである。
２．訂正の適否について
　ア．訂正内容
（１）特許請求の範囲の請求項１の「前記光学異方性素子が、パネルの黒表示時に基板付近の液晶が有する残留位相差を視角方位に応じて補償する光学異方性素子であり、」と「さらに前記光学異方性素子を前記液晶パネルとその両側の偏光板との間に配置したことを特徴とする液晶表示装置。」の間に、「ｎｘを前記光学異方性素子の面内における最大屈折率、ｎｙを面内で前記ｎｘに垂直な方向の屈折率、ｎｚを前記光学異方性素子の厚さ方向の屈折率としたときに、下記（数１）の関係を満たし、」を追加し、さらに請求項１の末尾に、「[数１] ｎｘ＞ｎｙ＞ｎｚ」を追加する。
（２）特許明細書段落番号（００１０）中の、「前記光学異方性素子が、パネルの黒表示時に基板付近の液晶が有する残留位相差を視角方位に応じて補償する光学異方性素子であり、」と「さらに前記光学異方性素子を前記液晶パネルとその両側の偏光板との間に配置したことを特徴とする。」の間に、「ｎｘを前記光学異方性素子の面内における最大屈折率、ｎｙを面内で前記ｎｘに垂直な方向の屈折率、ｎｚを前記光学異方性素子の厚さ方向の屈折率としたときに、上記（数１）の関係を満たし、」を追加する。
（３）特許明細書段落番号（００１５）中の、「前記光学異方性素子が、パネルの黒表示時に基板付近の液晶が有する残留位相差を視角方位に応じて補償する光学異方性素子であり、」と「さらに前記光学異方性素子を前記液晶パネルとその両側の偏光板との間に配置するようにしたことにより、」の間に、「ｎｘを前記光学異方性素子の面内における最大屈折率、ｎｙを面内で前記ｎｘに垂直な方向の屈折率、ｎｚを前記光学異方性素子の厚さ方向の屈折率としたときに、上記（数１）の関係を満たし、」を追加する。
（４）特許明細書段落番号（００５３）中の、「前記光学異方性素子が、パネルの黒表示時に基板付近の液晶が有する残留位相差を視角方位に応じて補償する光学異方性素子であり、」と「さらに前記光学異方性素子を前記液晶パネルとその両側の偏光板との間に配置するようにしたことにより、」の間に、「ｎｘを前記光学異方性素子の面内における最大屈折率、ｎｙを面内で前記ｎｘに垂直な方向の屈折率、ｎｚを前記光学異方性素子の厚さ方向の屈折率としたときに、上記（数１）の関係を満たし、」を追加する。
　イ．訂正の目的の適否、新規事項の追加及び特許請求の範囲の拡張又は変更の存否
　上記訂正事項（１）〜（４）は、特許明細書に記載された事項の範囲内で特許請求の範囲を減縮するものであり、新規事項を追加するものでなく、特許請求の範囲を実質的に拡張又は変更するものでもない。
　ウ．むすび
　以上のとおり、上記訂正請求は、特許法第120条の4第2項及び同条第3項で準用する平成6年法律第116号における改正前の特許法第126条第1項ただし書き及び同法同条第２項の規定に適合するので、当該訂正を認める。
３．特許異議申立について
　ア．本件発明
　訂正後の本件特許第3043954号の請求項1に係る発明は次のとおりである。
「【請求項１】液晶パネルと、前記液晶パネルに積層された光学異方性素子と、前記液晶パネルの両側に配置された一対の偏光板とを備えたノーマリホワイトモードの液晶表示装置であって、前記光学異方性素子が、パネルの黒表示時に基板付近の液晶が有する残留位相差を視角方位に応じて補償する光学異方性素子であり、ｎｘを前記光学異方性素子の面内における最大屈折率、ｎｙを面内で前記ｎｘに垂直な方向の屈折率、ｎｚを前記光学異方性素子の厚さ方向の屈折率としたときに、下記（数１）の関係を満たし、さらに前記光学異方性素子を前記液晶パネルとその両側の偏光板との間に配置したことを特徴とする液晶表示装置。
　[数１]
　ｎｘ＞ｎｙ＞ｎｚ　」
　イ．異議申立の理由の概要
　異議申立人 セイコーエプソン株式会社は、証拠として甲第1号証を提出し、本件発明1は、特許法第29条第1項第3号に該当して、若しくは、同法同条第2項の規定に違反して特許されたものであるから、その特許は取り消されるべき旨主張している。
　ウ．異議申立人が提出した甲第1号証に記載の発明
　甲第１号証（特開平３−６９９１５号公報）には、下記の事項（１）〜（４）が記載されている。
（１）従来のノーマリホワイトモードにおけるツイステッドネマテイック（ＴＮ）液晶パネルの視角特性は第６図に示され、コントラスト比の得られる視角は広いが、正確な階調表示ができる視角は著しく狭く、表示が良好に認識できる視角範囲が狭い問題点が説明されている（１頁右欄１６行目〜２頁右上欄４行目）。
（２）第１図に示されるように、液晶セル１０３を挟んで両側に配置された少なくとも２層の光学的異方体１０２、１０４と、それらを挟んで両側に配置された一対の偏光板１０１、１０５を備えた液晶表示装置が記載され、光学的異方体はいずれも３軸方向の屈折率が異なる一軸延伸フィルムの高分子フィルムである（特許請求の範囲、３頁左下欄８行目〜右下欄９行目）。
（３）２頁右上欄１９行目〜３頁左下欄４行目には、「上下電極基板上の液晶分子は、配向膜からの配向規制力に拘束されているために、上下電極基板近傍の液晶分子は液晶層のバルク中の液晶分子のような振る舞いを示さず、電圧を印加してもほとんど動くことがない。」こと、そのため、液晶分子における「上下電極基板近傍の屈折率異方体にはリターデーションに差が生じ、充分な補償ができない」こと、「本発明では、上下電極基板近傍の屈折率楕円体を補償するための光学的補償板を液晶セルの両側に配置することによって、視角を変化させても上下電極基板近傍の屈折率楕円体のリターデーションに差が発生しないようにすることにより視角特性を改善した」ことが記載されている。
（４）第３図に図示されているように、コントラスト比１０を示す線３０１並びに階調反転領域（斜線で示される）が改善されていることが記載されている（３頁右下欄１９行目〜４頁左上欄１２行目）。
　エ．当審の対比・判断
　本件発明1の「ｎｘを前記光学異方性素子の面内における最大屈折率、ｎｙを面内で前記ｎｘに垂直な方向の屈折率、ｎｚを前記光学異方性素子の厚さ方向の屈折率としたときに、ｎｘ＞ｎｙ＞ｎｚの関係を満たす」ことは、甲第1号証には記載も示唆もされておらず、当業者に周知又は自明の事項でもない。
　そして、本件発明1は、「ｎｘを前記光学異方性素子の面内における最大屈折率、ｎｙを面内で前記ｎｘに垂直な方向の屈折率、ｎｚを前記光学異方性素子の厚さ方向の屈折率としたときに、ｎｘ＞ｎｙ＞ｎｚの関係を満たす」ことにより、コントラストを向上させ、視角を広げることができるという作用効果を呈するものである。
　したがって、本件発明1は、甲第1号証に記載されたに等しい発明であるとすることができないし、また、甲第1号証に記載された発明に基づいて当業者が容易に発明をすることができたものとすることができないから、特許法第29条第1項第3号に該当して、若しくは、同法同条第2項の規定に違反して特許されたものとすることができない。
　オ．むすび
  以上のとおりであるから、異議申立の理由及び証拠によっては、本件発明1についての特許を取り消すことができない。
　また、他に本件発明1についての特許を取り消すべき理由を発見しない。
　よって、結論のとおり決定する。
【異議決定日】
平成１３年４月２４日（２００１．４．２４）
【訂正の要旨】
　訂正事項（訂正の要旨）
ａ．特許第３０４３９５４号発明の明細書中特許請求の範囲の請求項１における、「前記光学異方性素子が、パネルの黒表示時に基板付近の液晶が有する残留位相差を視角方位に応じて補償する光学異方性素子であり、」と「さらに前記光学異方性素子を前記液晶パネルとその両側の偏光板との間に配置したことを特徴とする液晶表示装置。」の間に、特許請求の範囲の減縮を目的として、「ｎｘを前記光学異方性素子の面内における最大屈折率、ｎｙを面内で前記ｎｘに垂直な方向の屈折率、ｎｚを前記光学異方性素子の厚さ方向の屈折率としたときに、下記（数１）の関係を満たし、」を追加し、さらに請求項１の末尾に、「［数１］ｎｘ＞ｎｙ＞ｎｚ」を追加する訂正を行う。
　これに伴い、特許請求の範囲の記載と発明の詳細な説明との整合を図るため、明りょうでない記載の釈明を目的として、特許第３０４３９５４号発明の明細書中の段落番号（００１０）、段落番号（００１５）、および段落番号（００５３）を、請求書に添付された全文訂正明細書のとおり、すなわち、
　▲１▼特許明細書段落番号（００１０）中の、「前記光学異方性素子が、パネルの黒表示時に基板付近の液晶が有する残留位相差を視角方位に応じて補償する光学異方性素子であり、」と「さらに前記光学異方性素子を前記液晶パネルとその両側の偏光板との間に配置したことを特徴とする。」の間に、「ｎｘを前記光学異方性素子の面内における最大屈折率、ｎｙを面内で前記ｎｘに垂直な方向の屈折率、ｎｚを前記光学異方性素子の厚さ方向の屈折率としたときに、上記（数１）の関係を満たし、」を追加する訂正を行う。
　▲２▼特許明細書段落番号（００１５）中の、「前記光学異方性素子が、パネルの黒表示時に基板付近の液晶が有する残留位相差を視角方位に応じて補償する光学異方性素子であり、」と「さらに前記光学異方性素子を　前記液晶パネルとその両側の偏光板との間に配置するようにしたことにより、」の間に、ｎｘを前記光学異方性素子の面内における最大屈折率、ｎｙを面内で前記ｎｘに垂直な方向の屈折率、ｎｚを前記光学異方性素子の厚さ方向の屈折率としたときに、上記（数１）の関係を満たし、」を追加する訂正を行う。
　▲３▼特許明細書段落番号（００５３）中の、「前光学異方性素子が、パネルの黒表示時に基板付近の液晶が有する残留位相差を視角方位に応じて補償する光学異方性素子であり、」と「さらに前記光学異方性素子を　前記液晶パネルとその両側の偏光板との間に配置するようにしたことにより、」の間に、「ｎｘを前記光学異方性素子の面内における最大屈折率、ｎｙを面内で前記ｎｘに垂直な方向の屈折率、ｎｚを前記光学異方性素子の厚さ方向の屈折率としたときに、上記（数１）の関係を満たし、」を追加する訂正を行う。
（５４）【発明の名称】
液晶表示装置
（５７）【特許請求の範囲】
　【請求項１】液晶パネルと、前記液晶パネルに積層された光学異方性素子と、前記液晶パネルの両側に配置された一対の偏光板とを備えたノーマリホワイトモードの液晶表示装置であって、前記光学異方性素子が、パネルの黒表示時に基板付近の液晶が有する残留位相差を視角方位に応じて補償する光学異方性素子であり、
ｎｘを前記光学異方性素子の面内における最大屈折率、ｎｙを面内で前記ｎｘに垂直な方向の屈折率、ｎｚを前記光学異方性素子の厚さ方向の屈折率としたときに、下記（数１）の関係を満たし、
　
［数１］
　
ｎｘ＞ｎｙ＞ｎｚ
　【請求項２】液晶パネルと、前記液晶パネルに積層された光学異方性素子と、前記液晶パネルの両側に配置された一対の偏光板とを備えた液晶表示装置であって、前記液晶パネルが、基板間で液晶の配向方位がほぼ９０°捻れたネマティック液晶パネルであり、前記偏光板の偏光軸が隣接するパネル基板上の液晶の配向方位とほぼ直交し、ｎｘを前記光学異方性素子の面内における最大屈折率、ｎｙを面内で前記ｎｘに垂直な方向の屈折率、ｎｚを前記光学異方性素子の厚さ方向の屈折率としたときに、下記（数１）の関係を満たす光学異方性素子を、前記ｎｘの方向が、前記光学異方性素子に隣接する偏光板の偏光軸の方向とほぼ平行となるように、前記液晶パネルとその両側の前記偏光板との間に配置し、さらに前記液晶パネルの両側に配置される前記光学異方性素子における、下記（数２）で定義される光学異方性素子の屈折率異方性△ｎ１と光学異方性素子の厚みｄの積の値と、下記（数３）で定義される光学異方性素子の素子面内の屈折率異方性△ｎ２と光学異方性素子の厚みｄの積の値が、互いにほぼ等しいことを特徴とする液晶表示装置。
　［数１］
　ｎｘ＞ｎｙ＞ｎｚ
　［数２］
　△ｎ１＝（ｎｘ＋ｎｙ）／２−ｎｚ
　［数３］
　△ｎ２＝ｎｘ−ｎｙ
　【請求項３】光学異方性素子の屈折率異方性△ｎ１と光学異方性素子の厚みｄの積の値と、光学異方性素子の素子面内の屈折率異方性△ｎ２と光学異方性素子の厚みｄの積の値が、共に８０ｎｍ以上２００ｎｍ以下である請求項２に記載の液晶表示装置。
【発明の詳細な説明】
　【０００１】
　【産業上の利用分野】
　本発明は、視角特性に優れた液晶表示装置に関する。
　【０００２】
　【従来の技術】
　液晶表示装置は、薄型で軽量であり、しかも消費電力が小さいという特徴を有している。このため、ワードプロセッサーやテレビの表示画面として広く用いられている。液晶表示装置のなかでも、アレイ基板上に多数のスイッチング素子配置したアクティブマトリクス型液晶表示装置は、液晶の配向方位がほぼ９０°捻れたツイストネマチックモード（以下「ＴＮモード」という）を表示に用いており、高速応答や高精細が可能な表示装置として開発が進んでいる。
　【０００３】
　しかし、ＴＮモードの液晶表示装置は、液晶の旋光性を用いて表示を行うものであるため、パネルを見る角度によって色調やコントラストが異なるといった問題点がある。
　【０００４】
　このため、良好な表示を得ることができる視角範囲は陰極線管（以下「ＣＲＴ」という）に比べてかなり狭く、ＣＲＴと同等以上の表示性能を実現するには至っていない。
　【０００５】
　従来、アクティブマトリクス型液晶表示装置の視野角を広げる方法としては、配向分割法、補償セルを液晶パネルに積層する方法、位相差フィルムを用いる方法等が知られている。配向分割法は、１つの画素内に配向の異なる２つの領域を作ることにより、液晶の配向方位に固有の視角特性を平均化して広視角を実現するものである（例えば、Ｓ．Ｋａｎｅｋｏ　ｅｔ．ａｌ　Ｓｏｃｉｅｔｙ　ｏｆｉｎｆｏｒｍａｔｉｏｎ　ｄｉｓｐｌａｙ´９３　ＤＩＧＥＳＴ　Ｐ．２６５）。また、補償セルを液晶パネルに積層する方法としては、例えば、コレステリック液晶セルを補償セルとして用いる方法が提案されている（特開平３−２１５８３１号公報）。また、位相差フィルムを用いる方法としては、例えば、液晶パネルの基板面に対してほぼ平行な光軸を有する位相差フィルムを液晶パネルに積層することにより、視角を拡大する方法が提案されている（第１６回液晶討論会講演予稿集、２Ｌ３０７、２Ｌ３１４）。
　【０００６】
　【発明が解決しようとする課題】
　しかし、上記した従来技術のうち、配向分割法は視角を拡大するのに有効な方法ではあるが、基板の配向処理が複雑になったり、液晶パネルの配向状態が不安定になったりするというプロセス上の問題点がある。
　【０００７】
　また、補償セルを液晶パネルに積層する方法は、液晶パネル全体の厚みが増加するため、薄型ディスプレイとしての特徴を生かすことができないという問題点がある。さらに、液晶パネルに補償セルを積層するのは、商品としても実用的ではない。
　【０００８】
　また、液晶パネルの基板面に平行な光軸を有する位相差フィルムを用いる方法は、フィルムが１軸性の光軸を有する以上、液晶パネルの全面で視角を補償することは困難である。すなわち、例えば、液晶パネルの左右方向の視角を補償すれば上下方向の視角が狭くなり、液晶パネル全体の視角を拡大することは困難である。このため、液晶パネルを見る方位によって階調表示が反転したり、コントラストが低下し、画像を判別することはできない。
　【０００９】
　本発明は、従来技術における前記課題を解決し、視角範囲が広く、コントラストの良好なアクティブマトリクス型液晶表示装置を提供することを目的とする。
　【００１０】
　【課題を解決するための手段】
　前記目的を達成するため、本発明に係る液晶表示装置の第１の構成は、液晶パネルと、前記液晶パネルに積層された光学異方性素子と、前記液晶パネルの両側に配置された一対の偏光板とを備えたノーマリホワイトモードの液晶表示装置であって、前記光学異方性素子が、パネルの黒表示時に基板付近の液晶が有する残留位相差を視角方位に応じて補償する光学異方性素子であり、
ｎｘを前記光学異方性素子の面内における最大屈折率、ｎｙを面内で前記ｎｘに垂直な方向の屈折率、ｎｚを前記光学異方性素子の厚さ方向の屈折率としたときに、上記（数１）の関係を満たし、
　【００１１】
　本発明に係る液晶表示装置の第２の構成は、液晶パネルと、前記液晶パネルに積層された光学異方性素子と、前記液晶パネルの両側に配置された一対の偏光板とを備えた液晶表示装置であって、前記液晶パネルが、基板間で液晶の配向方位がほぼ９０°捻れたネマティック液晶パネルであり、前記偏光板の偏光軸が隣接するパネル基板上の液晶の配向方位とほぼ直交し、ｎｘを前記光学異方性素子の面内における最大屈折率、ｎｙを面内で前記ｎｘに垂直な方向の屈折率、ｎｚを前記光学異方性素子の厚さ方向の屈折率としたときに、上記（数１）の関係を満たす光学異方性素子を、前記ｎｘの方向が、前記光学異方性素子に隣接する偏光板の偏光軸の方向とほぼ平行となるように、前記液晶パネルとその両側の前記偏光板との間に配置し、さらに前記液晶パネルの両側に配置される前記光学異方性素子における、上記（数２）で定義される光学異方性素子の屈折率異方性△ｎ１と光学異方性素子の厚みｄの積の値と、上記（数３）で定義される光学異方性素子の素子面内の屈折率異方性△ｎ２と光学異方性素子の厚みｄの積の値が、互いにほぼ等しいことを特徴とする。
　【００１２】
　【００１３】
　また、前記本発明の第２の構成においては、光学異方性素子の屈折率異方性△ｎ１と光学異方性素子の厚みｄの積の値と、光学異方性素子の素子面内の屈折率異方性△ｎ２と光学異方性素子の厚みｄの積の値が、共に８０ｎｍ以上２００ｎｍ以下であるのが好ましい。
　【００１４】
　【００１５】
　【作用】
　前記本発明の液晶表示装置の第１の構成によれば、液晶パネルと、前記液晶パネルに積層された光学異方性素子と、前記液晶パネルの両側に配置された一対の偏光板とを備えたノーマリホワイトモードの液晶表示装置であって、前記光学異方性素子が、パネルの黒表示時に基板付近の液晶が有する残留位相差を視角方位に応じて補償する光学異方性素子であり、
ｎｘを前記光学異方性素子の面内における最大屈折率、ｎｙを面内で前記ｎｘに垂直な方向の屈折率、ｎｚを前記光学異方性素子の厚さ方向の屈折率としたときに、上記（数１）の関係を満たし、
　【００１６】
　また、前記本発明の液晶表示装置の第２の構成によれば、液晶パネルと、前記液晶パネルに積層された光学異方性素子と、前記液晶パネルの両側に配置された一対の偏光板とを備えた液晶表示装置であって、前記液晶パネルが、基板間で液晶の配向方位がほぼ９０°捻れたネマティック液晶パネルであり、前記偏光板の偏光軸が隣接するパネル基板上の液晶の配向方位とほぼ直交し、ｎｘを前記光学異方性素子の面内における最大屈折率、ｎｙを面内で前記ｎｘに垂直な方向の屈折率、ｎｚを前記光学異方性素子の厚さ方向の屈折率としたときに、上記（数１）の関係を満たす光学異方性素子を、前記ｎｘの方向が、前記光学異方性素子に隣接する偏光板の偏光軸の方向とほぼ平行となるように、前記液晶パネルとその両側の前記偏光板との間に配置し、さらに前記液晶パネルの両側に配置される前記光学異方性素子における、上記（数２）で定義される光学異方性素子の屈折率異方性△ｎ１と光学異方性素子の厚みｄの積の値と、上記（数３）で定義される光学異方性素子の素子面内の屈折率異方性△ｎ２と光学異方性素子の厚みｄの積の値が、互いにほぼ等しいことにより、次のような作用効果を奏することができる。すなわち、上記の光学異方性素子は、ノーマリホワイトモードの液晶表示装置において、黒表示のときにパネルの基板近くの液晶分子が立ち上がりきらないことに起因する残留位相差を視角方位に応じて補償する効果を有するため、当該光学異方性素子を、基板の両側に積層することにより、コントラストを向上させ、かつ、視角を拡げることができる。
　【００１７】
　【００１８】
　また、前記本発明の第２の構成において、光学異方性素子の屈折率異方性△ｎ１と光学異方性素子の厚みｄの積の値と、光学異方性素子の素子面内の屈折率異方性△ｎ２と光学異方性素子の厚みｄの積の値が、共に８０ｎｍ以上２００ｎｍ以下であるという好ましい構成によれば、上下方向の視角範囲が拡大すると共に、上方向のコントラストが拡大する。
　【００１９】
　【００２０】
　【実施例】
　以下、実施例を用いて本発明をさらに具体的に説明する。液晶パネルの視角特性は、コントラスト分布と階調反転領域によって決定される。ここで、コントラストは、液晶パネルの白表示の輝度を黒表示の輝度で割った値である。また、階調反転領域は、白表示と黒表示の間で階調表示を行った場合に、階調表示の輝度が、隣接する階調間で反転して見える視角範囲である。
　【００２１】
　ノーマリーホワイトモード（以下「ＮＷモード」という）のＴＮパネルの場合、パネルのコントラスト分布は、主に黒表示における輝度レベルによって決定される（例えば、第３９回応用物理学会講演予稿集、Ｎｏ３、３１ａ−Ｂ−２、Ｐ８５７）。従って、視角方位が変わっても黒表示の輝度が低く、白浮きがないような補償を行えば、コントラスト分布の広いパネルを実現することができる。一方、階調反転領域は、液晶分子のダイレクタの方向と関係しているため、階調反転領域を小さくするには、電圧印加によって傾いたダイレクタ方位の傾き自体を補償する必要がある。
　【００２２】
　図５に、ＮＷモードのＴＮパネルにおける視角特性の測定例を示す。図５には、コントラストが１０になる位置（□）と階調反転の位置（＋）を示している。尚、図５において、同心円はパネルの垂線方向からの極角を１０度刻みで表しており、中心から外側へ放射線状に伸びる直線は１０度刻みの方位角を表している。図５から明らかなように、通常のＮＷモードのＴＮパネルの場合、パネルのコントラスト分布は上下で非対称であり、この場合には上側が狭い。コントラスト分布が上下で非対称となるのは、黒表示のときにパネルの基板近くの液晶分子が立ちきっていないことに起因している。このように基板界面の影響が存在すると、視角方位によって透過光の偏光状態が大きく変化する。
　【００２３】
　一般に、液晶パネルの透過輝度は、パネルを抜けた段階における光の偏光状態と隣接する偏光板の偏光軸方向によって決定される。従って、階調反転及びコントラストを改善するためには、パネルを抜けた段階における光の偏光状態を、光学異方性素子を用いて変化させる方法が有効となる。
　【００２４】
　ＴＮモードの液晶パネルの視角補償に用いる光学異方性素子としては、面内に位相差を有する２軸性フィルムが有効である。フィルム面内の最大屈折率をｎｘ、面内でｎｘに垂直な方向の屈折率をｎｙ、フィルムの厚さ方向の屈折率をｎｚとした場合、面内位相差を有するフィルムの３軸方向の屈折率の関係は、上記（数１）によって表される。
　【００２５】
　黒表示時において、基板付近の液晶は捻れ角を有し、さらに傾いたチルト角を有している。このときの捻れ角は１０°から３０°程度と推測されるため、液晶の残留位相差は視角方位によって異なっていると考えられる。
　【００２６】
　面内に位相差を有し、上記（数１）によって表されるフィルムは、視角方位によって異なる残留位相差を、積極的に視角方位で補償することができ、視角拡大の効果が大きいと考えられる。
　【００２７】
　次に、面内位相差を有するフィルムの特性を定義する。まず、フィルムの屈折率異方性ｃｎ１を、上記（数２）によって定義する。また、フィルムの面内位相差Δｎ２を、上記（数３）によって定義する。すると、フィルムの特性は、屈折率異方性Δｎ１又は面内位相差Δｎ２とフィルムの厚みｄとの積であるリタデーションΔｎ１・ｄ又はΔｎ２・ｄによって表される。以下、Δｎ１・ｄをフィルムリタデーション、Δｎ２・ｄを面内リタデーションと定義する。
　【００２８】
　面内位相差を有する２軸性フィルムを液晶パネルに積層する場合、液晶パネルの視角特性を左右でほぼ対称とするためには、２軸性フィルムを液晶パネルの両側に配置すると共に、２軸性フィルムの最大屈折率ｎｘの方向を、液晶パネルの両側で互いにほぼ直交させる必要がある。
　【００２９】
　また、２軸性フィルムの最大屈折率ｎｘの方向が液晶パネルの両側で互いにほぼ直交し、さらに隣接する偏光板の偏光軸にほぼ平行であれば、ＮＷモードの液晶パネルの反主視角側の黒表示の白浮きが抑制され、良好な表示を得ることができる。
　【００３０】
　また、Δｎ１・ｄとΔｎ２・ｄが共に等しい同一特性の２軸性フィルムを液晶パネルの上下に積層するほうが、視角の拡大には有効である。なぜなら、基板の界面付近の残留位相差が上下の基板の界面付近でほぼ同一となるからである。
　【００３１】
　もちろん、上下の基板で異なる配向状態を有する液晶パネルや積極的に左右の視角の非対称性を活用する場合には、上下に配置する２軸性フィルムのΔｎ１・ｄ及びΔｎ２・ｄの値を変えたほうが有効であることは言うまでもない。
　【００３２】
　以下に、具体的実施例を挙げて本発明をさらに詳細に説明する。
　（実施例１）
　図１は本発明に係る液晶表示装置の一実施例を示す構成図である。
　【００３３】
　以下、この液晶表示装置の作製方法について説明する。まず、透明電極を有する２枚のガラス基板にポリイミド配向膜であるＲＮ−６２６（日産化学（株）製）を塗布した後、液晶方位が基板間で９０°捻れるようにナイロン布を用いて基板にラビング処理を施した。次いで、ラビング処理を施した２枚のガラス基板を、ガラススペーサーであるミクロパール（積水ファインケミカル（株）製）を用いて５μｍの間隔で貼り合わせた。次いで、フッソ系液晶であるＺＬＩ−４７９２（メルク（株）製）を真空注入法を用いてガラス基板間に注入した。その後、駆動回路１６を実装し、液晶パネル１３を作製した。
　【００３４】
　次いで、ポリカーボネートの薄膜を延伸して２軸性フィルム１２、１４を作製し、粘着材を用いてそれぞれ偏光板１１、１５に貼り合わせた。次いで、２軸性フィルム１２、１４を液晶パネル１３の両側に積層して、液晶表示装置を作製した。この場合、偏光板１１、１５の偏光軸１７、１８が液晶パネル１３の隣接するラビング方向１９、２０とそれぞれ直交するようにした。
　【００３５】
　使用した２軸性フィルム１２、１４は、膜厚が１００μｍであり、フィルム面内の最大屈折率をｎｘ、面内でｎｘに垂直な方向の屈折率をｎｙ、膜厚方向の屈折率をｎｚとした場合に、上記（数１）の関係を満たす。この２軸性フィルム１２、１４のフィルムリタデーションΔｎ１・ｄは１６０ｎｍであり、面内リタデーションΔｎ２・ｄは１２０ｎｍである。
　【００３６】
　２軸性フィルム１２、１４を液晶パネル１３の両側に積層するに際しては、フィルム面内の最大屈折率ｎｘの軸方向２１、２２が、隣接する偏光板１１、１５の偏光軸１７、１８に平行となるようにした。これにより、液晶パネル１３の上下に積層した２軸性フィルム１２、１４の最大屈折率ｎｘの軸方向２１、２２を、上下のフィルムで互いに直交させることができる。
　【００３７】
　上記のようにして作製した液晶表示装置の視角特性を、以下に示す方法を用いて測定した。測定する光源としてハロゲンランプを用いた。液晶表示装置を透過する光を波長５４０ｎｍのフィルターを通した後、フォトマルを用いて強度を測定することにより、視角特性を求めた。そして、コントラストと、隣接する階調の反転角度を用いて視角特性を評価した。
　【００３８】
　コントラストは、液晶パネル１３に電圧を印加しないときの白表示の透過光強度を、液晶パネル１３に５．０Ｖの電圧を印加したときの黒表示の透過光強度で割った値として定義した。また、階調反転角度は、液晶パネル１３の白表示と黒表示の輝度レベルを８レベルに等分割し、視角方向によって隣合う階調表示の輝度が反転する角度として定義した。そして、液晶パネル１３に電圧を印加しないときの白表示をレベル１、液晶パネル１３に５．０Ｖの電圧を印加したときの黒表示をレベル８とし、中間調領域はレベル２からレベル７とした。尚、視角特性の評価には、コントラストが１０以上となる領域と、レベル７とレベル８の階調反転が起こる領域を用いた。
　【００３９】
　図２に、本実施例１の液晶表示装置の視角特性を示す。図２には、コントラストが１０になる位置（□）と階調反転の位置（＋）を示している。図５に示した従来の液晶表示装置の視角特性と比較すると、従来はパネルの上方向の視角範囲が２２度程度であったが、本実施例１の液晶表示装置では３３度程度になっている。すなわち、上方向の視角範囲が１１度広くなっている。また、従来と比べて上側の視角範囲が全体に広くなっている。これにより、２軸性フィルム１２、１４を液晶パネル１３に積層すると液晶表示装置の視角が拡大することが分かる。
【００４０】
　また、従来、左右方向で発生していた階調反転が全て解消され、極めて良好な表示を得ることができた。尚、本発明の液晶表示装置としては、基板間で液晶の配向方位が約９０°捻れた液晶パネルを有するものであればよい。従って、液晶パネルとしては、基板上に電極が格子状に配列された単純マトリクス型パネルや、多数の薄膜トランジスタを配置したＴＦＴ（Ｔｈｉｎ　Ｆｉｌｍ　Ｔｒａｎｓｉｓｔｏｒｓ）型パネルを使用することができる。
　【００４１】
　一般に、２軸性フィルムの特性はΔｎ１・ｄとΔ２・ｄによって規定される。従って、Δｎ１・ｄとΔｎ２・ｄを規定するに際しては、フィルムの膜厚と屈折率の値の組み合わせば任意でよい。
　【００４２】
　また、本実施例１においては、液晶としてフッソ系液晶を用いているが、必ずしもこれに限定されるものではなく、例えば、シアノ系液晶等、一般にネマティック性を有する液晶であればよい。
　【００４３】
　（実施例２）
　上記実施例１と同様の構成を有する液晶表示装置を作製した。フィルムリタデーションΔ１・ｄと面内リタデーションΔｎ２・ｄの値の組み合わせが上記実施例１と異なる２軸性フィルムを液晶パネルに積層し、視角特性を測定した。
　【００４４】
　積層した２軸性フィルムのリタデーションと、そのときの液晶パネルの上下方向の視角範囲を下記（表１）に示す。尚、参考のために、図５の通常の液晶パネルの視角も（表１）に示した。
　【００４５】
　【表１】
　【００４６】
　フィルムリタデーションΔｎ１・ｄと面内リタデーションΔｎ２・ｄの値が、共に８０ｎｍ以上２００ｎｍ以下であるときに、上下方向の視角範囲が拡大した。特に、上方向のコントラストが拡大した。また、上記（表１）に示した全ての組み合わせにおいて、液晶パネルの左右方向における階調反転が解消し、視角特性が大きく拡大した。
　【００４７】
　＜比較例１＞
　上記実施例１と同一の構成を有する液晶表示装置において、フィルムリタデーションΔｎ１・ｄと面内リタデーションΔｎ２・ｄの値の組み合わせが上記実施例１、２と異なる２軸性フィルムを液晶パネルに積層し、視角特性を測定した。
　【００４８】
　本比較例１で用いた２軸性フィルムは、Δｎ１・ｄが７０ｎｍであり、Δｎ２・ｄが５０ｎｍである。図３に視角特性の測定結果を示す。視角は上方向のコントラスト１０が極角で２５度であり、２軸性フィルムを積層しない通常の液晶パネルとほぼ同等であった（図５参照）。また、左右方向のコントラストは拡大したが、階調反転は、２軸性フィルムを積層しない通常のパネルとほぼ同等であり（図５参照）、視角拡大の効果は小さかった。
　【００４９】
　このように、上記したΔｎ１・ｄ（＝７０ｎｍ）とΔｎ２・ｄ（＝５０ｎｍ）を有する２軸性フィルムを液晶パネルに積層した場合には、特に上方向で液晶パネルを観察した場合にコントラストが低く、画像の認識が困難で良好な表示を得ることはできなかった。
　【００５０】
　＜比較例２＞
　上記実施例１と同一の構成を有する液晶表示装置において、フィルムリタデーションΔｎ１・ｄと面内リタデーションΔｎ２・ｄの値の組み合わせが上記実施例１、２と異なる２軸性フィルムを液晶パネルに積層し、視角特性を測定した。
　【００５１】
　本比較例２で用いた２軸性フィルムは、Δｎ１・ｄが２５０ｎｍであり、Δｎ２・ｄが２２０ｎｍである。図４に視角特性の測定結果を示す。２軸性フィルムを積層しない通常の液晶パネルに比べて（図５参照）、コントラストが全体的に狭くなった。特に、下方向、左右方向、左右の斜め上方向のコントラストが狭くなった。
　【００５２】
　このように、上記したΔｎ１・ｄ（＝２５０ｎｍ）とΔｎ２・ｄ（＝２２０ｎｍ）を有する２軸性フィルムを液晶パネルに積層した場合には、全体的に視角が狭くなり、良好な表示を得ることはできなかった。
　【００５３】
　【発明の効果】
　以上説明したように、本発明に係る液晶表示装置の第１の構成によれば、液晶パネルと、前記液晶パネルに積層された光学異方性素子と、前記液晶パネルの両側に配置された一対の偏光板とを備えたノーマリホワイトモードの液晶表示装置であって、前記光学異方性素子が、パネルの黒表示時に基板付近の液晶が有する残留位相差を視角方位に応じて補償する光学異方性素子であり、
ｎｘを前記光学異方性素子の面内における最大屈折率、ｎｙを面内で前記ｎｘに垂直な方向の屈折率、ｎｚを前記光学異方性素子の厚さ方向の屈折率としたときに、上記（数１）の関係を満たし、
　【００５４】
　また、本発明に係る液晶表示装置の第２の構成によれば、液晶パネルと、前記液晶パネルに積層された光学異方性素子と、前記液晶パネルの両側に配置された一対の偏光板とを備えた液晶表示装置であって、前記液晶パネルが、基板間で液晶の配向方位がほぼ９０°捻れたネマティック液晶パネルであり、前記偏光板の偏光軸が隣接するパネル基板上の液晶の配向方位とほぼ直交し、ｎｘを前記光学異方性素子の面内における最大屈折率、ｎｙを面内で前記ｎｘに垂直な方向の屈折率、ｎｚを前記光学異方性素子の厚さ方向の屈折率としたときに、上記（数１）の関係を満たす光学異方性素子を、前記ｎｘの方向が、前記光学異方性素子に隣接する偏光板の偏光軸の方向とほぼ平行となるように、前記液晶パネルとその両側の前記偏光板との間に配置し、さらに前記液晶パネルの両側に配置される前記光学異方性素子における、上記（数２）で定義される光学異方性素子の屈折率異方性Δｎ１と光学異方性素子の厚みｄの積の値と、上記（数３）で定義される光学異方性素子の素子面内の屈折率異方性Δｎ２と光学異方性素子の厚みｄの積の値が、互いにほぼ等しいことにより、次のような効果が得られる。すなわち、上記の光学異方性素子は、ノーマリホワイトモードの液晶表示装置において、黒表示のときにパネルの基板近くの液晶分子が立ち上がりきらないことに起因する残留位相差を視角方位に応じて補償する効果を有するため、当該光学異方性素子を、基板の両側に積層することにより、コントラストを向上させ、かつ、視角を拡げることができる。
　【００５５】
　【００５６】
　また、前記本発明の第２の構成において、光学異方性素子の屈折率異方性Δｎ１と光学異方性素子の厚みｄの積の値と、光学異方性素子の素子面内の屈折率異方性Δｎ２と光学異方性素子の厚みｄの積の値が、共に８０ｎｍ以上２００ｎｍ以下であるという好ましい構成によれば上下方向の視角範囲が拡大すると共に、上方向のコントラストが拡大する。
　【００５７】
【図面の簡単な説明】
　【図１】
　本発明に係る液晶表示装置の一実施例を示す構成図である。
　【図２】
　本発明に係る液晶表示装置の一実施例の視角特性図である。
　【図３】
　比較例１で用いた液晶表示装置の視角特性図である。
　【図４】
　比較例２で用いた液晶表示装置の視角特性図である。
　【図５】
　従来技術における液晶表示装置の視角特性図である。
　【符号の説明】
　１１、１５　偏光板
　１２、１４　２軸性フィルム
　１３　液晶パネル
　１６　駆動回路
　１７、１８　偏光軸
　１９　下側基板のラビング方向
　２０　上側基板のラビング方向
　２１、２２　フィルム面内の最大屈折率ｎｘの軸方向